(57)【要約】【課題】男性と女性が右アンダーバストを当接し、男性が、右手で実際の女性の背中中央、左肩甲骨や左上腕を保持しながら、ポジションやスウエイをリードし、時にはこれらの部位を押す力を０にしてもリードできるのに近似して、リードできる社交ダンス練習器具を提供すること。【解決手段】実際の女性と踊るように社交ダンスを練習できる、男性身体具と、垂直性を維持する擬似パートナー具を有する、社交ダンス練習器具。男性身体具に備えるボディリード構造と、擬似パートナー具に備えるボディフォロー構造の協働作用により、擬似パートナー具の移動経路を設定し、前記擬似パートナー具の移動範囲を制限し、回転運動と同時におこる並進運動を経て、クローズドポジションとプロームナードポジションを位置内でリードでき、スウエイ動作をリードすることができる。【選択図】図７
2009233319.tif 000002
【特許請求の範囲】
【請求項１】
男性と女性が組んだまま踊る社交ダンスにおいて、
Ａ．擬似パートナー具は、
ａ．後傾する通常の自然体形の女性の身体の、アンダーバスト付近の高さにある胴体    に、そのままあるいは部分的に盤状に、近似された盤状胴体部で基盤を形成し、
ｂ．前記基盤に、前記アンダーバストの高さにある背中にある、背中中央に部分的に    近似された背中部、あるいは左肩甲骨から左上腕までに部分的に近似された肩甲骨・    上腕部のうち、少なくとも一方を備え、
ｃ．前記背中部あるいは前記肩甲骨・上腕部のうち、少なくとも一方の表面には、前    記女性が持つ前記背中中央、前記左肩甲骨から左上腕までの表面形状とは異なる、
表面処理がされた凹凸表面、
あるいは前記表面に取り付けられた突起、握り、庇板、
あるいは前記表面から取り除いて形成された引っ掛かり部位、
などの落下防止部材のうち、少なくとも一方を備え、
ｄ．前記盤状胴体部に、前記女性のアンダーバスト付近の腹に近似される女性腹部を    備え、
ｅ．前記女性腹部に、リーダーである男性の身体との継続的な位置関係を決める、ボ    ディフォロー構造を備え、
Ｂ．男性身体具は、
ａ．前記男性のアンダーバスト付近の腹に装着される、腹パッチあるいはベルトのう    ち、少なくとも一方を備え、
ｂ．前記腹パッチあるいは前記ベルトに、前記擬似パートナー具との間で継続的な位    置関係を決める、ボディリード構造を備え、
Ｃ．前記男性が、前記擬似パートナー具を右手を用いてリードする時、前記ボディリー    ド構造と前記ボディフォロー構造の協働作用により、
ａ．前記男性に対する、前記擬似パートナー具の移動経路を設定し、前記擬似パート    ナー具の移動範囲を制限し、回転運動と並進運動を経てクローズドポジションとプ      ロームナードポジションを位置内でリードでき、
ｂ．前記擬似パートナー具の前記移動経路の中には、前記擬似パートナー具の仮想垂    直身体軸は自転しながらスピロデザイン、サイクロイドやトロコイド曲線の上を公転    する曲線、自転しながら楕円の周りを公転する曲線、に近似できる曲線が作る、移動    経路を含み、
ｃ．前記男性の垂直身体軸の方向と、前記擬似パートナー具に存する前記仮想垂直身    体軸の方向を同一にすることにより、スウエイ動作をリードできる、
前記男性が前記擬似パートナー具をリードできる構造を有する、
社交ダンス練習器具
【請求項２】
Ａ．ボディフォロー構造は、    
ａ．前記女性腹部には、女性側接合維持部材を有する女性側土台部を備え、
ｂ．前記女性側接合維持部材は、前記擬似パートナー具に存する前記仮想垂直身体軸    の方向に伸びる女性側接合面を持ち、
Ｂ．ボディリード構造は、
ａ．前記腹パッチあるいは前記ベルトには、男性側接合維持部材を有する男性側土台    部を備え、
ｂ．前記男性側接合維持部材は、前記男性の前記垂直身体軸の方向に延びる男性側接    合面を持ち、
Ｃ．前記ボディリード構造と前記ボディフォロー構造の協働作用において、
ａ．「前記女性側接合面と、対面する前記男性側接合面が、双方の接合面上の場所を    変えながら、前記男性に対し、女性側接合面ひいては前記擬似パートナー具を回転運    動と並進運動させ、移動させる構造」（以後、接合面移動構造、と呼称する）、ある    いは
ｂ．「前記女性側接合維持部材と前記男性側接合維持部材が接合される場所が、前記    男性の前記垂直身体軸方向に垂直な平面内で一体的に、変位しながら、前記男性に対    し、女性側接合面ひいては前記擬似パートナー具を回転運動と並進運動させ、移動さ    せる構造」（以後、接合部材変位構造、と呼称する）のうち、
少なくとも一方の構造を持ち、
ｃ．前記女性側土台部と、対面する前記男性側土台部が、前記男性に対し前記擬似      パートナー具の移動の範囲を制限する、
構造を持つ、
請求項１に記載の社交ダンス練習器具
【請求項３】
前記擬似パートナー具は、重心位置を変えるため、
ａ．バランサー部を備える、あるいは、
ｂ．前記擬似パートナー具に構成部材を、付加、除去する、
構造を有することにより、垂直性の維持の安定性を増すことができる構造の、
請求項１、又は２に記載の社交ダンス練習器具
【請求項４】
前記擬似パートナー具は
ａ．前記基盤は、薄い複数枚の前記盤状胴体部を、支柱を用い補強して積層した、あ    るいは、
厚めの前記盤状胴体部を部分的にくり抜いた、
中空構造とし、
ｂ．前記背中部、前記肩甲骨・上腕部あるいは前記女性側土台部のうち少なくとも１    つの部を、前記盤状胴体部から分離しない、折りたたみ構造とし、
前記中空構造、前記折りたたみ構造のうち少なくとも一方の構造を有することにより、管理や運搬を容易にできる、
請求項１、２、又は３に記載の社交ダンス練習器具
【請求項５】
前記擬似パートナー具は、
ａ．前記女性腹部側にある盤状胴体部基本部と、
ｂ．前記背中部、前記肩甲骨・上腕部のうち、
少なくとも１つの部が存する盤状胴体部伸張部を有し、
ｃ．前記盤状胴体部基本部に対し、前記盤状胴体部伸張部を移動できる、
構造を有することにより、サイズを調節できる構造の
請求項１、２、３、又は４に記載の社交ダンス練習器具
【請求項６】
前記擬似パートナー具は、
ａ．擬似パートナー具の右アンダーバスト部付近から鳩尾中央部付近までが、男性に    対面して接合する、水平方向の移動は、男性の右アンダーバスト付近から右側腹付近    までの、水平方向の範囲、
ｂ．前記男性の前記男性アンダーバスト付近の腹断面の左右方向と、前記擬似パート    ナー具の前記女性腹部の左右方向との角度のずれが０−７５度の範囲、
ｃ．前記擬似パートナー具を保持する前記男性の右手に加えられる
負荷が５０−１０００グラムの範囲、および
ｄ．前記男性の前記右掌が保持する、前記背中部、前記肩甲骨・上腕部の傾斜が、前    記基盤の前記女性腹部側から見て、後方および右斜め方向に反る方位に１０−３０度    の範囲、
ｅ．前記少なくとも１領域にある前記女性側接合維持部材と前記男性側接合維持部材    とが、対面して、接合が維持される接合面の長さが、３ｍｍ−２００ｍｍの範囲
の中から選ばれた範囲を有する、形状と構造の、
請求項１、２、３、４、又は５に記載の社交ダンス練習器具
【発明の詳細な説明】
【技術分野】
【０００１】
本発明はダンスの社交ダンス−モダン部門に分類されるダンスを踊る、男性が姿勢を作り、練習するための社交ダンス練習器具に関する。
【背景技術】
【０００２】
不安定な姿勢の状態にある女性にとって、男性は支えになる姿勢をつくり、女性をしっかりリードする必要がある。
【先行技術文献】
【特許文献】
【０００３】
従来、男性の社交ダンスの姿勢を育成するための、社交ダンス練習器具としては、
【特許文献１】特許第３７９６６２０  社交ダンス用フォーム矯正具
【特許文献２】特許公開平９−１９２２７９  ダンス練習用姿勢矯正装置
【特許文献３】実用新案公開平０７−０４４０２４  ペアウエア
【特許文献４】実用新案公開昭６１−１０３１６７  社交ダンスなどの姿勢矯正具等で開示されている。
【非特許文献】
【０００４】
本発明において、社交ダンス−モダンに関し、
【非特許文献１】篠田学のダンス・イラストレッソン、著者：篠田学、１９９９年１月１５日初版第１刷、発行所：モダン出版株式会社
【非特許文献２】プロが教えないダンステクニック講座  モダン編／ワルツ、著者：金沢正太、２０００年３月１日初版第１刷、発行所：白夜書房
【非特許文献３】東大方式  ボールルームダンシング  完全上達プログラム、著者：三輪嘉広、２００６年１月２０日初版第３刷、発行所：白夜書房
【非特許文献４】プロが教えないダンス上達講座  モダン編、著者：金沢正太、１９９８年１２月１５日初版第１刷、発行所：白夜書房を参考にした。
【０００５】
本発明の社交ダンス器具における男性、女性とは、標準的な成人の身体を持つ男性、女性とする。
［非特許文献１］２４、３１ページを参考にすると、男性とハイヒールを履いた女性がコンタクトするアンダーバスト付近の右腹場所は、クローズドポジションの時、双方とも鳩尾から臍までの高さで右乳房から下がった領域、右アンダーバストと言われる付近にある。
肋骨により胸部の形状が維持されている、アンダーバストでの胴体断面形状は、男性、女性ともに、おおよそ楕円の形状に近い。
【０００６】
のちに述べるように、男性が女性をクローズドポジションからプロムナードポジションへリードする時、リードされる女性は自分自身が自転しながら同時に、男性の胴体断面形状に近似される楕円の周辺を、公転するような動きをする。
【０００７】
男性、女性や擬似パートナー具の、垂直身体軸や仮想垂直身体軸とは、おのおののおおよその重心や、近似された女性身体のおおよその重心に対応する点を通る、床に垂直な軸や仮想した軸とする。
【０００８】
通常、男性と女性が組んで踊る時、アンダーバスト付近の高さでは、男性と女性の垂直身体軸の方向は同じ方向、床に垂直な方向である。
【０００９】
しかし、上級になれば、女性はバストより上では、自身の上半身を男性から離し、斜め後ろの方向へ反り、踊ることが多い。本発明の社交ダンスにおける女性も、バストより上では、自身の上半身を男性から離して踊るとする。
【００１０】
［非特許文献２］の中の２５、４０ページでは、足から、脊柱、頭までを床に垂直に立つ男性に対し、女性はバストより上を背中方向と左肩甲骨方向に約２３度傾けるとの指導がある。
【発明の概要】
【発明が解決しようとする課題】
【００１１】
社交ダンス−モダンの種目の中で、
クイック、ワルツ、スローフォックストロット、ウイナーワルツ、ブルースは総括してスイングダンス（ムービングダンスとも言う）と言われる。
【００１２】
社交ダンスは、親睦、スポーツ、競技、芸術表現などいろいろな目的で踊られる。男性と女性は、社交ダンスを踊る時に、２歩以上のステップが組み合わされたフィギャーを織り交ぜながら、絶えずポジションを変える。代表的なポジションとして、クローズドポジションとプロームナードポジションがある。
【００１３】
クローズドポジションとは、男性と女性が正面に組んだ形、ポジションである。クローズドポジションでは、男性と女性が双方右アンダーバスト付近で接し、アンダーバストの高さで、男性の胴体の長径方向と女性の胴体の長径方向がほぼ同じ方向を示す。
【００１４】
プロームナードポジションとは、男性の胴体の右側と女性の胴体の左側が接し、男性の胴体の左側と女性の胴体の右側がＶ字型に開いた形、ポジションである。プロームナードポジションでは、男性と女性が同じ方向を見ながら、男性の右側腹付近と女性の鳩尾付近で接する。アンダーバストの高さで、男性の胴体の長径方向と女性の胴体の長径方向がＶ字の角度を示す。ここで、Ｖ字の角度は、おおよそ３０度から６０度である。最大は７５度程度である。
【００１５】
男性が、女性をクローズドポジションからプロームナードポジションにリードする時、男性の垂直身体軸に対し、女性の垂直身体軸は回転運動と同時に並進運動をしながら移動する。
【００１６】
逆に、男性が、回転運動と並進運動を経て、女性をプロームナードポジションからクローズドポジションにリードする時も、回転運動と同時に並進運動をしながら移動する。
【００１７】
移動の軌跡の例は、女性の垂直身体軸は自転しながらスピロデザイン、サイクロイドやトロコイド曲線の上を公転するような曲線、自転しながら楕円の周りを公転するような曲線、に近似できる曲線が作る、軌跡の一部である。男性は本発明の擬似パートナー具をこの例のような、回転運動と同時に並進運動をさせながらリードする。
【００１８】
図１、図２はスイングダンスの時の、男性、女性の標準的な組み方（ホールド）である。図１クローズドポジション、図２はプロームナードポジションを示す。切断面Ａ−Ａで男女の胴体を床に垂直な面で切断した時、上方から見た切断面を、図１、図２の各下部に示す。
【００１９】
一方、タンゴはスイングしないダンスと言われる。図３はクローズドポジション、図４はプロームナードポジションを示す。タンゴの時の標準的な組み方（ホールド）である。図３、図４は    切断面Ａ−Ａで男女の胴体を床に垂直な面で切断した時、上方から見た切断面を、図３、図４の各下部に示す。
スイングダンスとタンゴで、ホールドをしている時には、男女の手の位置は異なるが、切断面での男女の胴体の切断面の位置関係は似ていることが図１、２、３、４からわかる。
【００２０】
ペアが社交ダンスの各種目を踊るとき、各種目の中で知られたフィギャーを、
巧みに変えながら、組み合わせ、他のカップルの間を縫うように踊る。ペアは各フィギャーで、クローズドポジション（二人の顔や視線方向がおよそ１８０度近くずれている位置。図１、図３）あるいは、プロームナードポジション（二人の顔や視線方向がおよそ同じ方向である位置。図２、図４）の姿勢をとる。
【００２１】
クローズドポジションにおいては、男性と女性はおのおのの右アンダーバスト付近で対面し、わずかに接する。アンダーバスト付近の右腹高さＡ−Ａで、男性の胴体断面の長径方向（一点鎖線Ｂ）と女性の胴体断面の長径方向（一点鎖線Ｃ）はほぼ同じ方向である。
【００２２】
［非特許文献４］の１４８、１４９ページで示すように、プロームナードポジションにおいては、上方から見ると、アンダーバスト付近の右腹高さで男性の胴体断面の長径方向（一点鎖線Ｂ）と女性の胴体断面の長径方向（一点鎖線Ｃ）はＶの字のように開いている。プロームナードポジションにおいては、女性の鳩尾中央は男性のアンダーバスト高さの右側腹に対面し、近くに位置している。
【００２３】
したがって、社交ダンスの練習器具は男性と女性のクローズドポジションとプロームナードポジションを素早く変え、正確に表現できることが重要である。
ここで素早くとは１拍、１秒程度である。
【００２４】
以後本発明では、社交ダンス‐モダンと分類されるダンスを単に社交ダンスと記す。また、
自然体形の女性や男性の器官に近似される身体具上の部位に、器官＋部、という用語をつけて、説明することにする。
【００２５】
接合を維持するとは、結合点や結合面が移動するしないにかかわらず、結合力に比べ離反力が弱いため、離反しないで、接合という状態が継続していること、とする。
【００２６】
また、ふたつの軸が平行という意味は、完全な平行という意味ではなく、眼で見て平行らしいと思える平行である。ふたつの軸が垂直という意味は、完全な垂直という意味ではなく、眼で見て垂直らしいと思える垂直である。
【００２７】
女性あるいは擬似パートナー具がする並進運動とは、女性あるいは擬似パートナー具の仮想垂直身体軸が男性の垂直身体軸の周りで、曲線上を運動することである。
女性あるいは擬似パートナー具がする回転運動とは、女性あるいは擬似パートナー具の仮想垂直身体軸の周りを、女性あるいは擬似パートナー具が回転する運動である。
【００２８】
文中、右手を擬似パートナー具から、離す、とは右手を離し全く使わないということである。文中、右手で背中部、肩甲骨・上腕部を押さないリード、とは、右手で擬似パートナー具をリードしているが、右手で背中部、肩甲骨・上腕部を男性方向に押してはいないリード動作、たとえば引き上げ、押しだしなどリード動作のことである。ここで、肩甲骨・上腕部は、肩甲骨と上腕の付け根にある腋だけの器官に近似した部品を、意味することもあるとする。
【００２９】
本発明は、［非特許文献１］３８、３９、４０、４１、１８８、１８９ページを参考にすると、
１：男性と女性が各々のアンダーバスト付近の右腹でわずかに接する、  
２：スイングダンスの時、男性右掌を女性の左肩甲骨に軽くあてる、  
タンゴの時、        男性右掌を女性の背中中央に軽くあてる、  
３：男性の右前腕や手首で、女性の左腋や左上腕を下から軽く支える、
という３箇所でのコンタクトを使い女性をリードする技術を、男性一人で練習する社交ダンス練習器具に関する。
【００３０】
社交ダンス用フォーム矯正具の従来例としては、レコード盤などの円盤や、時には、身辺にあるテニスラケット、長い取っ手の付いた深い鍋、などがある。
【００３１】
また、社交ダンスを楽しく美しく踊るため、リーダーがパートナーと踊る場合を想定した規定の背面位置に、右の手をリング状部位に添え、ハンド保持部に、踊り手が左の手を添え、踊り手の正面に保持する支持手段を持つ、踊り手の上体姿勢を直立に保持するフォーム矯正具に関する、［特許文献１］がある。
【００３２】
しかし、［特許文献１］と本発明とは形状、構造、機能、作用が異なる。
本発明では、盤状胴体部を基盤とし、男性の右手で擬似パートナー具を保持する位置を、基盤の上に明確に指定された背中の部位の位置としている。また、背中部、肩甲骨・上腕部に表面加工がされているので、右手で背中部、肩甲骨・上腕部を押さないリードでもできる。
【００３３】
また、女性側接合維持部材と男性側接合維持部材により、擬似パートナー具を仮想垂直身体軸の方向に接合し、かつ水平方向に接合し、移動する手段を備えることにより、男性の右アンダーバスト面から右側腹面で接合移動し、クローズドポジションとプロームナードポジションへリードできる。
【００３４】
くわえて、女性側接合維持部材と男性側接合維持部材により、垂直性の維持する手段を持つ。［非特許文献１］９４、９５ページに見られるようなスウエイ（身体の柔軟な横への傾き）のリード、を素早く正確に表現できる構造と機能を持つ。すなわち、男性が右スウエイをかけた時、男性は右脇がへこみ、対面する女性は左脇がへこむリードを近似できる。
【００３５】
ここで、垂直性が維持されるとは、男性の垂直身体軸と同じ方向に、本発明の擬似パートナー具の仮想垂直身体軸が強制的に揃えられることである。本発明では、男性が練習中に垂直身体軸を床に対し傾ける（スウエイをつける）時には、擬似パートナー具も同じ方向に軸を傾け、その軸はあたかも実際の女性が追従する垂直身体軸のような動きをする。男性がスウエイをつけない時は、男性の垂直身体軸は床に垂直で、姿勢も床に垂直である。
【００３６】
［特許文献３］の中にペアウエア技術が述べられている。
柔軟な伸縮自在継ぎ手が用いられ、ゴムなどの耐水材料により構成される。
【００３７】
しかしながら、この技術は人間間を連結する技術である。相互が接近と離反しながら運動することを制御する技術であり、相互の軸を保つ、移動範囲を制限する構造はない。
【００３８】
［特許文献４］の中に社交ダンスなどの姿勢矯正具技術が述べられている。この技術は社交ダンスの練習ツールを制御するために使う本発明の技術とは、目的、材料、構造、機能、作用、効果の点で異なる技術である。
【００３９】
［特許文献１］に開示されたフック金具、［特許文献２］に開示された固定
グリップなどを用いた支持方法からは、本発明の構造、機能、作用、支持構造
を当業者が容易に推考できるものではない。
【００４０】
従来、男性と女性が動的に変える、クローズドポジションとプロームナードポジション変化を模倣して、男性が姿勢を練習出来る、社交ダンス練習器具の発明はなかった。
【課題を解決するための手段】
【００４１】
本発明は、男性がスイングの系統やポジションを変えながら、女性を動的にリードする技術を練習習得し、男性が姿勢を矯正するための練習器具を提供することを目的とする。
【００４２】
第１の課題解決手段は、
男性と女性が組んだまま踊る社交ダンスにおいて、
Ａ．擬似パートナー具は、
ａ．後傾する通常の自然体形の女性の身体の、アンダーバスト付近の高さにある胴体    に、そのままあるいは部分的に盤状に、近似された盤状胴体部で基盤を形成し、
ｂ．前記基盤に、前記アンダーバストの高さにある背中にある、背中中央に部分的に    近似された背中部、あるいは左肩甲骨から左上腕までに部分的に近似された肩甲骨・    上腕部のうち、少なくとも一方を備え、
ｃ．前記背中部あるいは前記肩甲骨・上腕部のうち、少なくとも一方の表面には、前    記女性が持つ前記背中中央、前記左肩甲骨から左上腕までの表面形状とは異なる、
表面処理がされた凹凸表面、
あるいは前記表面に取り付けられた突起、握り、庇板、
あるいは前記表面から取り除いて形成された引っ掛かり部位、
などの落下防止部材のうち、少なくとも一方を備え、
ｄ．前記盤状胴体部に、前記女性のアンダーバスト付近の腹に近似される女性腹部を    備え、
ｅ．前記女性腹部に、リーダーである男性の身体との継続的な位置関係を決める、ボ    ディフォロー構造を備え、
Ｂ．男性身体具は、
ａ．前記男性のアンダーバスト付近の腹に装着される、腹パッチあるいはベルトのう    ち、少なくとも一方を備え、
ｂ．前記腹パッチあるいは前記ベルトに、前記擬似パートナー具との間で継続的な位    置関係を決める、ボディリード構造を備え、
Ｃ．前記男性が、前記擬似パートナー具を右手を用いてリードする時、前記ボディリー    ド構造と前記ボディフォロー構造の協働作用により、
ａ．前記男性に対する、前記擬似パートナー具の移動経路を設定し、前記擬似パート    ナー具の移動範囲を制限し、回転運動と並進運動を経てクローズドポジションとプ      ロームナードポジションを位置内でリードでき、
ｂ．前記擬似パートナー具の前記移動経路の中には、前記擬似パートナー具の仮想垂    直身体軸は自転しながらスピロデザイン、サイクロイドやトロコイド曲線の上を公転    する曲線、自転しながら楕円の周りを公転する曲線、に近似できる曲線が作る、移動    経路を含み、
ｃ．前記男性の垂直身体軸の方向と、前記擬似パートナー具に存する前記仮想垂直身    体軸の方向を同一にすることにより、スウエイ動作をリードできる、
前記男性が前記擬似パートナー具をリードできる構造を有する、
社交ダンス練習器具
である。
【００４３】
男性が実際の女性をリードする練習のためには、練習をしたい女性がいて、その女性を相手に練習することが、効果的である。しかし、必ずしも女性がいつもいるわけではないので、練習をしたい女性に代わる、練習器具が望まれる。
【００４４】
本発明の社交ダンス練習器具の用途は、しっかり垂直身体や首が伸びた姿勢を作ること、女性がリードを受けて踊りやすい良いホールドを作ること、男性と女性が組んでいろんなフィギャーを織り交ぜながら自由に踊れること、等の内容を練習するためのものである。
【００４５】
本発明の社交ダンス練習器具における擬似パートナー具は、練習をしたい女性の代わりを務めるものである。すなわち、女性として、少なくともみぞおちから首までダンスをする身体形状や姿勢をもち、男性の手やアンダーバスト付近の腹に負荷としてかける荷重を、現実的な触覚として男性に伝える、男性からクローズドポジションやプロームナードポジションやスウエイリードを受いろんなフィギャーに追従できる、等の代わりを務める練習器具である。
【００４６】
請求項１の社交ダンス練習器具で、男性は、ボディリード構造を備えた、腹パッチあるいはベルトのうち、少なくとも一方からなる男性身体具を、男性のアンダーバスト付近の腹に装着する。ベルトはボディリード構造が一体として備えられている。もちろん、ボディリード構造にクリップや留め具を土台部に備え、ズボンに装着するベルトに、使用時に固着する構造でもよい。
ボディリード構造と、擬似パートナー具に備えたボディフォロー構造とを協働させて、男性が擬似パートナー具を、右手を用いてクローズドポジションと、回転運動と並進運動を経たプロームナードポジション位置内でリードする。
【００４７】
男性は女性に右手でのリードのほかに、男性と女性が各々のアンダーバスト付近の右腹でわずかに接しリードする。この状況に近似できるように、男性身体具と擬似パートナーは構成されている。男性と女性の右アンダーバストでのリードの授受をできるように、ボディリード構造を擬似パートナー具に備えたボディフォロー構造と接合維持させる。その結果、男性は、擬似パートナー具を落下させることなく、男性のアンダーバスト付近の腹を介してリードを伝えることができる。
【００４８】
［非特許文献３］の１４８、１４９ページに記載されているように、実際に踊る時、男性の右前腕が女性の左腋、左上腕を軽く吊るし上げ、男性の右手にかかる感覚的な負荷は、平均的には約２００グラム重である。
【００４９】
逆にいえば、ダンスを踊る女性は通常平均的に約２００グラム重の力を背中に受け踊る。この力が大きいと女性は締め付けられるような苦しさを感じる。瞬時的には数倍の重さの力を受けるフィギャーのタイミングもあるが、男性と女性が協力してすぐ元の平均的な荷重に戻す。
【００５０】
擬似パートナー具による男性の右手にかかる力を約２００グラム重にして、練習することが実際的である。擬似パートナー具の重量を平均荷重の数倍にして長期練習すると、かえって男性の右腕に負担がかかりすぎ、身体上の障害も出る。よって、せいぜい、男性の右手にかかる力は最大１０００グラム重程度がよい。あまり軽くても、社交ダンス練習器具を用いた練習の意味が減るので、男性の右手にかかる力は最小５０グラム重程度がよい。
【００５１】
本発明の擬似パートナー具を構成する軽量な部材として、空気が充てんされた袋人体、紙や布で作成された人体、比重の低い木材、発泡樹脂、合成樹脂またこれらの部材の組み合わせなどがある。なお、擬似パートナー具を一体成型で作る時の基盤は、アンダーバスト高さにある女性の胴体に近似し、女性側土台部が備えられる部位とする。
【００５２】
擬似パートナー具は、斜め後ろに反る通常の自然体形の女性の身体の、アンダーバスト付近の高さにある胴体に、そのままあるいは部分的に盤状に、近似された盤状胴体部で形成された基盤を持つ。
【００５３】
擬似パートナーの形状は、斜め後ろに反る通常の自然体形の女性の身体にできるだけ近似されるほうが、男性は、女性の胴体の動きを視覚的に連想し、相手の位置状況を知りながら練習できるという意味で、よい。社交ダンスの練習にあまり必要でない右脇の胴体部位は除くこともできる。
【００５４】
もちろん、盤状胴体部を女性の垂直身体に斜めの面で切断した形状にし、右手とアンダーバスト付近の腹からかかる応力による変形を少なくしたり、部材の使用量を減らしたり、製作工程を少なくしたり、コストを安くできる、形状、構造も出来る。
【００５５】
リーダーである男性の身体との継続的な位置関係を決める、あるいは擬似パートナー具との間で継続的な位置関係を決める、に現れる継続的な位置関係とは、男性が、擬似パートナー具の移動経路を設定し、擬似パートナー具の移動範囲を制限し、クローズドポジションと、プロームナードポジション位置内でリードし、男性の垂直身体軸の方向と、擬似パートナー具に存する仮想垂直身体軸の方向を同一にし、スウエイ動作をリードする時にできる、継続的な位置関係のことである。
【００５６】
擬似パートナー具は、男性の右手が触れる場所として、基盤に、アンダーバストの高さにある背中にある、背中中央に部分的に近似された背中部、あるいは左肩甲骨から左上腕までに部分的に近似された肩甲骨・上腕部のうち、少なくとも一方を備え、スイングダンスやタンゴの少なくとも一方の練習を可能にする。
【００５７】
本発明の擬似パートナー具の実施例の中には、実際の女性の体から社交ダンス練習に重要な基盤、女性腹部、背中部、肩甲骨・上腕部等の部位を残し、器具全体の軽量化、小型化を図っているものもある。
【００５８】
女性が左前腕を男性の右上腕上側に沿わせるコンタクトに関しては、おもに女性の役目であるので、擬似パートナー具は女性の左前腕の部位は含まず、器具全体の軽量化、小型化を図っている。もちろん、練習器具として、女性の左前腕の部位を取り込むことも可能である。
【００５９】
男性の右手で、擬似パートナーの背中部、肩甲骨・上腕部を保持し、軽く吊るし上げていても、動きの激しいフィギャーを練習する時は、右手からずれ落下してしまう。
本発明では、背中部あるいは肩甲骨・上腕部のうち、少なくとも一方の表面には、女性が持つ背中中央、左肩甲骨から左上腕までの表面形状とは異なる。表面処理がされた凹凸表面、あるいは前記表面に取り付けられた突起、握り、庇板、あるいは表面から取り除いて形成された引っ掛かり部位、などの落下防止部材のうち、少なくとも一方を備えた表面形状である。
【００６０】
このような構造にすることにより、男性の右手が常に硬直したように背中部あるいは肩甲骨・上腕部に触れて、擬似パートナー具を支えている必要はない。擬似パートナー具のホールドをしっかり、かつ柔軟にする、ことにより、いろいろなフィギャーを練習する時に、無理がないのでかえって姿勢のくずれない実際に近い練習ができることになる。
【００６１】
社交ダンス練習器具を用いて、ダンスを練習する男性の右掌、右手首や右前腕は、基本的には背中部あるいは肩甲骨・上腕部を軽く押し支えている。練習中はかなり運動するので、押す力約２００グラム重はかならずしも一定でない。押す力は極端な場合は０の時も生ずる。
【００６２】
また、１曲２分から３分間の間頭の先から足の先まで体を使い練習するので、運動の影響を受ける右肩から右腕右掌までの筋肉を時には瞬間的に弛緩しまた緊張することも必要である。この弛緩時に擬似パートナー具が傾いたり、落下したりすると練習に支障をきたす。
【００６３】
男性の右掌、右手首や右前腕が振れる、擬似パートナー具の背中部あるいは肩甲骨・上腕部の表面は後傾する通常の自然体形の前記女性が持たない、凹凸表面や落下防止部材を備えた形状、構造である。
【００６４】
したがい、擬似パートナー具を押す力を０にしても、瞬間的に弛緩しても、男性の右手に擬似パートナー具がひっかりので落下することはなく、次の瞬間押す力を正常な状態に戻し、擬似パートナー具を垂直に維持しながら、練習を継続することが可能となる。
【００６５】
第２の課題解決手段は、
Ａ．ボディフォロー構造は、    
ａ．前記女性腹部には、女性側接合維持部材を有する女性側土台部を備え、
ｂ．前記女性側接合維持部材は、前記擬似パートナー具に存する前記仮想垂直身体軸    の方向に伸びる女性側接合面を持ち、
Ｂ．ボディリード構造は、
ａ．前記腹パッチあるいは前記ベルトには、男性側接合維持部材を有する男性側土台    部を備え、
ｂ．前記男性側接合維持部材は、前記男性の前記垂直身体軸の方向に延びる男性側接    合面を持ち、
Ｃ．前記ボディリード構造と前記ボディフォロー構造の協働作用において、
ａ．「前記女性側接合面と、対面する前記男性側接合面が、双方の接合面上の場所を    変えながら、前記男性に対し、女性側接合面ひいては前記擬似パートナー具を回転運    動と並進運動させ、移動させる構造」（以後、接合面移動構造、と呼称する）、ある    いは
ｂ．「前記女性側接合維持部材と前記男性側接合維持部材が接合する場所が、前記男    性の前記垂直身体軸方向に垂直な平面内で一体的に、変位しながら、前記男性に対      し、女性側接合面ひいては前記擬似パートナー具を回転運動と並進運動させ、移動さ    せる構造」（以後、接合部材変位構造、と呼称する）のうち、
少なくとも一方の構造を持ち、
ｃ．前記女性側土台部と、対面する前記男性側土台部が、前記男性に対し前記擬似      パートナー具の移動の範囲を制限する、
構造を持つ、
請求項１に記載の社交ダンス練習器具
である。
【００６６】
請求項２の社交ダンス練習器具で、
ボディフォロー構造において、女性側接合維持部材を有する女性側土台部を備える。その形状は自然体形の女性がアンダーバスト付近の腹に持つ形状とは異なる起伏形状である。女性側土台部の大きな機能は、擬似パートナー具に存する仮想垂直身体軸の方向に伸びる女性側接合面を持つ、女性側接合維持部材を保持することである。また、ボディリード構造と協働して、擬似パートナー具の移動経路を設定し、擬似パートナー具の移動範囲を制限することにある。
【００６７】
ボディリード構造において、男性側接合維持部材を有する男性側土台部を備える。その形状は自然体形の男性がアンダーバスト付近の腹に持つ形状とは異なる起伏形状である。男性側土台部の大きな機能は、男性の垂直身体軸の方向に伸びる男性側接合面を持つ、男性側接合維持部材を保持することである。また、ボディフォロー構造と協働して、擬似パートナー具の移動経路を設定し、擬似パートナー具の移動範囲を制限することにある。
【００６８】
男性は、男性側接合維持部材にある男性側接合面と女性側接合維持部材にある女性側接合面を、男性の垂直身体軸と擬似パートナー具の軸（仮想した垂直身体部が持つ仮想垂直身体軸）が同一方向になるように接合させ、男性の右掌、右手首、右前腕、男性のアンダーバスト付近の腹などを介して、擬似パートナー具を回転運動させ、並進運動させてリードできる。
【００６９】
ここで、接合面とは、２次元的な面積を持つ接合面ほかに、１次元的な線上の接合線、連続する接合点などで接合する、接合形状を含むとする。接合面の線分を長く、面積を広い形状にすることにより、男性側接合維持部材と女性側接合維持部材の結合力は強くなり、ひいては、男性と擬似パートナー具の結合も強くなる。
【００７０】
しかしながら、本発明のように、男性が擬似パートナー具を回転運動させ、並進運動させてリードする時には、接合面の結合力が強ければいいものでもない。擬似パートナー具に備えられる場所によっては、よく部分的に結合し、かつ、容易に部分的に剥がれる性能の接合面が、適することもある。実施例で、場所による必要な接合面の差異について述べる。
【００７１】
このような接合面をもつ、女性側接合維持部材や男性側接合維持部材としては、共役なマジックテープ（登録商標）、磁性板、粘着材、リング、鎖、紐等の部材が単独あるいは組み合わせて利用できる。
これらの部材は、前面を同時に垂直な方向に引っ張ればってもなかなか剥がれないが、水平に移動しやすい、端からは剥がれやすいなどの性質を持つがゆえに、本発明の接合部材として適する。
【００７２】
女性側接合部材の仮想垂直身体軸に平行な方向の長さは、約３ｍｍから２００ｍｍ程度までである。あまり短いと、擬似パートナーの垂直性を維持できなくなり、基盤としての強度も弱くなる。約３ｍｍでも女性側接合部材を距離を離して２箇所以上に備えれば、女性側接合部材としての機能を果たせる。またあまり長いと余分なコストや体積が必要となり、下肢の運動の妨げとなる。
【００７３】
男性側接合部の垂直身体軸に平行な方向の長さも、女性側土台部の長さに合わせ、約３ｍｍから２００ｍｍ程度までである。接合部を備える、土台部もぼぼ同じ長さになる。
擬似パートナー具や男性身体具にある各土台部は、おのおの男性と擬似パートナー具との空間的な継続的な位置関係を決め機能もあるが、必ずしも固定の長さや構造と限らず、バネ材やてこ機能を内部に有する可変の長さとなる構造も可能であるのはもちろんである。
【００７４】
接合面移動構造とは次のような構造である。
女性側接合維持部材と男性側接合維持部材による接合面を、男性の垂直身体軸方向に長い構造にすることにより長い面的な接合にし、男性の垂直身体軸に垂直な方向の接合面を短い構造にすることにより短い線的な接合にする。接合面は男性の垂直身体軸方向にずれにくいが、垂直身体軸に垂直な方向にはずれやすい性質を持つことになる。
【００７５】
ここに、男性が擬似パートナー具をリードするために、接合面に向かい、男性の垂直身体軸に垂直な方向に力をかけ続けることにより、擬似パートナー具の運動の方向は絶えず垂直身体軸に垂直な方向に修正され続ける。擬似パートナー具の垂直性が維持でき、男性は擬似パートナー具に回転運動、並進運動の移動を与え、実際の女性に近い動きをする擬似パートナー具を達成できる構造となる。
【００７６】
接合面移動構造を構成する部材として、共役なマジックテープを例にとる。
女性側接合維持部材の形状を女性の仮想垂直身体軸に平行な軸方向を持つ柱表面に張られた共役なマジックテープとし、対面する男性側接合維持部材の形状を男性の垂直身体軸に平行な軸方向を持つ柱表面に張られた共役なマジックテープとする。
【００７７】
共役なマジックテープを固着と剥離の双方の観点から適切な性能のものを選べば、双方の柱を対向させて接合させながら転がす時、接合面の片側では共役なマジックテープは次第に離れ、もう一方の側の接合面では共役なマジックテープは次第吸い込まれながら新たな接合面で接合を維持する。結果的に、擬似パートナー具は男性の周りを一平面で回ることになる。
【００７８】
同じように男性側接合維持部材、対面する女性側接合維持部材が、軸間が一定で離れない歯車で、ふたつの歯車が互いに上下に強制的ずれなくした場合も、接合面の片側では歯車は次第に離れ、もう一方の側の接合面では歯車は次第吸い込まれながら接合を強めていく。結果的に、擬似パートナー具は男性の周りを一平面で回ることになる。
【００７９】
男性側、女性側の接合維持部材の接合面形状は必ずしも円柱状である必要はない。接合面を維持できれば、円柱状以外の曲面でも良いし、場合によっては線群、点群で形成される仮想的な曲面で形成される接合面でも良い。このことは実施例で述べる。
【００８０】
一方、接合部材変位構造とは、たとえば次のような構造である。
男性の垂直身体軸方向に、男性側接合維持部材と対面する女性側接合維持部材が作る接合面の方向を合わせる。接合面に垂直な方向に広がる、１平面台や１平面内にあるリングを男性側土台部や女性側土台部の少なくとも一方に設け
る。
【００８１】
ここに、男性が擬似パートナー具をリードするために、接合面に向かい、男性の垂直身体軸に垂直な方向に力をかけ続けることにより、擬似パートナー具の運動の方向は絶えず垂直身体軸に垂直な１平面台や１平面内にあるリング面内に修正され続ける。よって、１平面内でのみ、男性側接合維持部材と対面する女性側接合維持部材が一体となり変位する構造となる。
【００８２】
ここで、接合面移動構造と、接合部材変位構造は機能の面で独立な構造とは限らず、用いる接合構造によっては両方の機能を有する構造もある。
【００８３】
接合面移動構造、接合部材変位構造を用いることにより、擬似パートナー具をリードする時、女性側土台部にある女性側接合維持部材の接合面は、１平面内で空間的位置を変位しながら、接合を維持する。したがって、擬似パートナー具は男性の垂直身体軸に対して回転運動しながら並進運動し、空間的に位置を変えることができる。
【００８４】
二つの軸を同一方向に、また二つの軸を上下にずらさないように維持することにより、男性と女性が実際に踊るように、男性がフィギャーに従いスウエイをつけた時でも、擬似パートナー具は男性のスウエイと同一のスウエイをすることができる。
【００８５】
第３の課題解決手段は、
前記擬似パートナー具は、重心位置を変えるため、
ａ．バランサー部を備える、あるいは、
ｂ．前記擬似パートナー具に構成部材を、付加、除去する、
構造を有することにより、垂直性の維持の安定性を増すことができる構造の、
請求項１、又は２に記載の社交ダンス練習器具
である。
【００８６】
男性右手を、スイングダンスの時は擬似パートナー具の肩甲骨・上腕部に軽くあて、またタンゴの時は女性の背中部に軽くあてリードする。スイングダンスとタンゴの曲が変わり、その都度、擬似パートナー具に対する地球の重力による回転モーメントを０になるように、バランサー部で擬似パートナー具の重心位置を調節することにより、スイングダンスとタンゴの各々に適したバランスを得ることができる。前記擬似パートナー具の、垂直性の維持の安定性を増すことができる。
【００８７】
もちろんスイングダンス、タンゴの両方を考慮された重心位置を得るために、バランス材や構成部材を効果のある位置に別に付加、除去する構造で、垂直性の維持の安定性を増すことも可能である。また、盤状胴体部の形状を切り欠き形状にして、バランスの良い擬似パートナー具の構造を作るのも可能である。
【００８８】
第４の課題解決手段は、
前記擬似パートナー具は
ａ．前記基盤は、薄い複数枚の前記盤状胴体部を、支柱を用い補強して積層した、あ    るいは、
厚めの前記盤状胴体部を部分的にくり抜いた、
中空構造とし、
ｂ．前記背中部、前記肩甲骨・上腕部あるいは前記女性側土台部のうち少なくとも１    つの部を、前記盤状胴体部から分離しない、折りたたみ構造とし、
前記中空構造、前記折りたたみ構造のうち少なくとも一方の構造を有することにより、管理や運搬を容易にできる、
請求項１、２、又は３に記載の社交ダンス練習器具
である。
【００８９】
擬似パートナー具の基盤の盤状胴体部を、支柱を用いて強度を増した中空構造にすることができる。たとえ、盤状胴体部に用いる１枚板の厚みは薄く変形に弱くても、複数枚の盤状胴体部の板の間に、支柱を用いることにより強度のある軽量で厚みがある基盤を作ることが出来る。
【００９０】
基盤に床に垂直な方向に厚みを持たせることにより、基盤が備える女性腹部を厚くでき、女性側土台部と女性側接合部材を縦方向に長くできるので、擬似パートナー具の接合は強くなる。したがい、女性側接合維持部材や男性側接合維持部材の長さ方向の距離が長くでき、実際の女性とアンダーバスト付近の右腹と接する感触に近くできる。
【００９１】
擬似パートナー具は、盤状胴体部で形成された基盤に、女性のアンダーバストより上にあり、女性の背面位置にある器官に近似されるものとして、背中中央部、肩甲骨・上腕部のみを備える、軽量化、簡単化を図った構造もできる。
【００９２】
背中部、肩甲骨・上腕部、女性側土台部を折りたたみ、またもとの使用時の形状に戻すには、蝶番、マグネットキャッチ、共役なマジックテープ、ジュラコンキャッチなどを用い折りたたみ構造を達成でき、折りたたみ時、擬似パートナー具全体の体積を小さくでき運搬、収納するのに便利になる。
【００９３】
背中部、肩甲骨・上腕部あるいは女性側土台部を盤状胴体部に嵌合構造で備える時、嵌合時の破損する弊害や、また盤状胴体部から離反し管理する時、部材が散逸、紛失する弊害が起こる。本発明ではそのような弊害を避けることができる。
【００９４】
擬似パートナー具の基盤を中空構造は、背中部、肩甲骨・上腕部あるいは女性側土台部を折りたたむ収納場所として活用でき、擬似パートナー具を収納する時体積を小さくできる。
【００９５】
第５の課題解決手段は、
前記擬似パートナー具は、
ａ．前記女性腹部側にある盤状胴体部基本部と、
ｂ．前記背中部、前記肩甲骨・上腕部のうち、
少なくとも１つの部が存する盤状胴体部伸張部を有し、
ｃ．前記盤状胴体部基本部に対し、前記盤状胴体部伸張部を移動できる、
構造を有することにより、サイズを調節できる構造の
請求項１、２、３、又は４に記載の社交ダンス練習器具
である。
【００９６】
前記盤状胴体部基本部に対し、前記盤状胴体部伸張部を移動して、相対的に位置を調節できる構造を有する。引き出し、または押し込むことにより、擬似パートナー具は体格の異なるいろんな女性体形に近似できる。
【００９７】
第６の課題解決手段は、
前記擬似パートナー具は、
ａ．擬似パートナー具の右アンダーバスト部付近から鳩尾中央部付近までが、男性に    対面して接合する、水平方向の移動は、男性の右アンダーバスト付近から右側腹付近    までの、水平方向の範囲、
ｂ．前記男性の前記男性腹断面の左右方向と、前記擬似パートナー具の前記女性腹部    の左右方向との角度のずれが０−７５度の範囲、
ｃ．前記擬似パートナー具を保持する前記男性の右手に加わえられる
負荷が５０−１０００グラムの範囲、および
ｄ．前記男性の前記右掌が保持する、前記背中部、前記肩甲骨・上腕部の傾斜が、前    記基盤の前記女性腹部側から見て、後方および右斜め方向に反る方位に１０−３０度    の範囲、
ｅ．前記少なくとも１領域にある前記女性側接合維持部材と前記男性側接合維持部材    とが、対面して、接合を維持する接合面の長さが、３ｍｍ−２００ｍｍの範囲
の中から選ばれた範囲を有する、形状と構造の、
請求項１、２、３、４、又は５に記載の社交ダンス練習器具
である。
【００９８】
角度のずれが０−７５度の範囲は、［非特許文献４］の１４９ページで示すように、プロームナードポジションにおいては、上方から見ると、アンダーバスト付近の右腹高さで男性の胴体断面の長径方向と女性の胴体断面の長径方向はＶという字のように開いている、という記載内容に基づいた範囲である。ずれ最小０度はクローズドポジションの時の角度である。
【００９９】
負荷が５０−１０００グラムの範囲は、［非特許文献３］の１４８ページに記載されているように、実際に踊る時、男性の右前腕が女性の左上腕を軽く吊るし上げ、男性の右前腕の上にかかる感覚的な負荷は平均的に約２００グラム重の力である、という記載内容に基づいた範囲である。
【０１００】
反る方位に１０−３０度の範囲は、［非特許文献２］の中の２５、４０ページでは、足から、脊柱、頭までを床に垂直に立つ男性に対し、女性は背中方向と左肩甲骨方向に約２３度傾ける、という記載内容に基づいた範囲である。最大３０度以上になると、男性にも女性にも負担が大きいと考えられる。最小１０度以下になると、ダンスを踊る女性の自然体形を想定した練習ができなくなる。
もちろん０度にして、背中部や肩甲骨・上腕部を男性から離した構造にすることもできる。
擬似パートナー具や協働する男性身体具の動作機能をこれらの模範的な範囲に設定することにより、男性はリードの具体値を把握でき、実際的な社交ダンス練習器具が達成できる。
【発明の効果】
【０１０１】
本発明の社交ダンス練習器具は、男性が実際に自然体形の女性と踊っている時と同じような右手への圧力負荷、アンダーバスト付近の右腹への圧力負荷を受けながら、スイングダンスとタンゴの両方の練習に適した構造の擬似パートナー具である。踊りの過程で必要な動作であるポジション、スウエイなどを動的に伝えられる、社交ダンスを練習できる器具である。
【０１０２】
擬似パートナー具は右手を使わなくても垂直性の維持ができ、男性はスウエイ動作をリード出来る。また、背中部、肩甲骨・上腕部は凹凸表面や落下防止部材を有しているので、背中部、肩甲骨・上腕部を常時押さなくても、擬似パートナー具を落下させることなくリード出来るので自然な使用感が得られる。
【０１０３】
男子身体具に備えたボディリード構造と擬似パートナー具に備えた前記ボディフォロー構造が協働して機能する、接合面移動構造や接合部材変位構造を用いる。擬似パートナー具に、垂直性の維持をしたまま、並進運動や回転運動の動作を伝えることができ、実際の社交ダンスの動きに近いポジション動作をリードできる。
【０１０４】
擬似パートナー具にバランサー部を設けるので、右手を背中部で支持する場合と肩甲骨・上腕部で支持する場合を明確に区別して、擬似パートナー具にかかる地球の重力による回転モーメントの平衡をとれる。スイングダンスとタンゴの両方に練習に適した擬似パートナー具の垂直性の維持を得る効果がある。
【０１０５】
さらに、擬似パートナー具の背中部、肩甲骨・上腕部を、元の強度に復元可能な折り曲げ構造にし、基盤に背中部、肩甲骨・上腕部や突出している女性側土台部などを収納可能な中空構造である。体積を小さくでき運搬時や収納時が容易になる効果を有する。ダンス練習器具の構成部材の取り外し、嵌合による復元する方法による体積の小型化に比較して、構成部材の管理も安全である。
【０１０６】
擬似パートナー具は、盤状胴体部基本部に対し盤状胴体部伸張部を移動して、相対的な位置を調節できる構造を有するので、男性が通常相手とする体形の女性を想定した練習もでき、あるいは通常慣れていない体形の女性をリードする練習も出来る、という効果を有する。
【０１０７】
一般的に女性のバストより上の部位を男性から広く離すにあたり、あまり広いと女性に過酷な負担を強いることになり、男女のバランスも悪くなるが、広いほうが華やかに見える。したがい、盤状胴体部基本部に対し盤状胴体部伸張部を移動して、相対的な位置を調節できる擬似パートナー具を用いて練習しながら、好ましい女性と男性の間隔やリードの仕方を見つけることもできる。
【０１０８】
擬似パートナー具の形状を、男性と女性が実際に組んだ時に美しい、リードが伝わりやすい、といわれる寸法範囲に設定することにより、練習する男性があるべき姿勢、動き、表現方法を養える効果がある。
【図面の簡単な説明】
【０１０９】
【図１】スイングダンスを踊る時に作る、クローズドポジション。
【図２】スイングダンスを踊る時に作る、プロームナードポジション。
【図３】タンゴを踊る時に作る、クローズドポジション。
【図４】タンゴを踊る時に作る、プロームナードポジション。
【図５】本発明の社交ダンス練習器具での、擬似パートナー具の実施例。
【図６】本発明の社交ダンス練習器具での、クローズドポジション、プロームナードポジション設定の原理。
【図７】請求項１の擬似パートナー具と男性身体具からなる、社交ダンス練習器具の実施例１。
【図８】本発明の請求項２の実施例３。
【図９】背中部、肩甲骨・上腕部の請求項１の落下防止材の実施例２。
【図１０】本発明の請求項２の実施例４における、擬似パートナー具。
【図１１】本発明の請求項２の実施例４における、擬似パートナー具の移動。
【図１２】本発明の請求項２の実施例５における、接合面維持部材。
【図１３】本発明の請求項２の実施例６における、接合面維持部材。
【図１４】本発明の請求項２の男性身体具の実施例７。
【図１５】接合部材変位構造をもつ、請求項２の男性身体具の実施例８。
【図１６】請求項２の擬似パートナー具の移動状況実施例７
【図１７】請求項２の擬似パートナー具の移動状況実施例８
【図１８】請求項３の、バランサー部を有する擬似パートナー具の実施例１０
【図１９】請求項５の、盤状胴体部基本部と盤状胴体部伸張部有する、他の擬似パートナー具の実施例１２。
【図２０】請求項４の中空構造、折りたたみ構造を有する擬似パートナー具の実施例１１。
【図２１】本発明の請求項２の男性身体具の実施例９。
【発明を実施するための形態】
【０１１０】
以下、本発明の実施の形態を、図を複数用いて説明する。複数の図にまたがり同じ番号で使われる、同じ機能や作用を有する部位や部材については、それらの部位や部材を再三説明しない。
本発明を構成する部位、部材でも実施例として材料、形状、構造が異なる時は用語で説明する。
【実施例１】
【０１１１】
図５において、男性身体具はないが、男性側土台部や女性側土台部の機能を説明するために、本発明の社交ダンス練習器具の原理を示す。図５は擬似パートナー具１を右腕２でリードする状況を示している。自然体形の女性３は、少なくとも、点線で示された右腕付け根から首、左上腕、胸までや、腹を含む胴体などからなる。自然体形の女性３の胴体のうち、アンダーバストＤの高さの胴体４に、盤状胴体部５０を近似する。
【０１１２】
ダンスを踊っている時の、自然体形の女性３の背中中央６を背中部７に、左肩甲骨８、左腋９、左上腕１０の３部位を肩甲骨・上腕部１１に近似し、盤状胴体部５０で基盤５を形成する。擬似パートナー具１は、基盤５上に、背中部７あるいは肩甲骨・上腕部１１のうち、少なくとも一方を備える。
【０１１３】
通常、ダンスを踊っている時の女性は、上級になると、バストから上半身を斜め後ろに傾ける。その姿勢に近似して、背中部７，肩甲骨・上腕部１１を斜め後ろに傾斜して立てる。
スイングダンスを練習する時、男性の右腕２の実線は擬似パートナー具１の肩甲骨・上腕部１１でリードし、タンゴを練習する時、男性の右腕２の点線は擬似パートナー具１の背中部７でリードする。
【０１１４】
アンダーバストＤの高さの胴体４の前に位置する腹を、擬似パートナー具１の盤状胴体部５０の男性側にある女性腹部１２に近似する。したがい、図のように女性腹部１２と盤状胴体部５０は同じ高さにある。  本実施例では、女性腹部１２にある右アンダーバスト部Ｄと左側腹部に存する女性側土台部１３、１５に、おのおの女性側接合維持部材１４、１６を備える。
【０１１５】
ここで男性側接合維持部材や女性側接合維持部材は、いろんな硬さや伸縮性のある材質等からなる柱、筒、板、リング、シート等を基本とし、表面に部分的に、練習に使用時に落下しないで垂直性が維持できかつ剥離できる程度の粘着力や、機械的に接合力を有する部材である。いろんな形状、構造、機能、作用をもった女性側接合維持部材があるが、図５の例では半円柱形状で示した。女性側接合面は、女性側接合維持部材の男性側の面である。また、表面の一部を結合力のない構造にして、擬似パートナー具の移動範囲を制限する構造にすることもできる。
【０１１６】
擬似パートナー具１の盤状胴体部５０に備えられた女性側接合維持部材１４、１６がともに男性２０と実線のように接合している図６が、擬似パートナー具１がクローズドポジションになる状態を示す。クローズドポジションのとき、男性２０の胴体の長径方向と擬似パートナー具１の盤状胴体部５０の長径方向がほぼ同じ方向を示す。
【０１１７】
クローズドポジションを忠実に実現するには、右アンダーバスト部で、盤状胴体部５０と女性側土台部１３と女性側接合維持部材１４の紙面に平行な方向の長さをたした適切な長さを選び、また左側腹部で、盤状胴体部５０と女性側土台部１５と女性側接合維持部材１６の紙面に平行な方向の長さをたした適切な長さを選ぶことが必要になる。
【０１１８】
一方、点線で示すように、女性側接合維持部材１４が男性２０から剥がれ、女性側接合維持部材１６が男性２０に接合している図６が、擬似パートナー具１がプロームナードポジションになる状態を示す。プロームナードポジションでは、男性２０の胴体の長径方向と擬似パートナー具１の胴体部の長径方向がＶ字に開いている。
【０１１９】
この例では、自然体形の女性の身体には該当する器官はない女性側土台部１５が、擬似パートナー具１のポジションの移動範囲を決め、擬似パートナー具１の移動径路を決めるのに大きな役割を果たしていることがわかる。すなわち、女性側土台部１５が紙面に平行な方向に長いことは、男性の垂直身体軸に対し、擬似パートナー具１の仮想的垂直身体軸に大きな回転運動をさせながら、同時に大きな並進運動をさすことになる。また、女性側土台部１７が女性の左側腹部に位置する場所も、擬似パートナー具１の移動範囲や移動経路と決めるのに重要である。
【０１２０】
図６は、単に通常の衣服を着た男性２０が、社交ダンス練習器具の擬似パートナー具１を用いて練習している様子を示す。ここで、女性側接合維持部材１４、１６はそれぞれ、弱い粘着材、強い粘着材で、女性側接合維持部材１４は容易に衣服から離れるが、女性側接合維持部材１６は一旦衣服に粘着すると、剥がせない粘着材である。
【０１２１】
実線で描かれた擬似パートナー具１の実施例では分散された２領域の女性側接合維持部材１４、１６が男性にくっついた状態で、クローズドポジションである。
【０１２２】
点線で描かれた擬似パートナー具１の実施例では女性腹部１２の左側腹部にある女性側土台部１５に強い粘着材をもつ女性側接合維持部材１６が備えられており、擬似パートナー具１は男性にくっついて落下しないで垂直性が維持されている。弱い粘着材をもつ女性側接合維持部材１４は男性から剥がされ、Ｖ字形に開かれた状態で、プロームナードポジションになる。かかる女性側接合維持部材を撰べば、両方のポジションにリードする練習が可能である。
【０１２３】
女性側接合維持部材１６は、仮想垂直身体軸方向に長く、仮想垂直身体軸に垂直な水平方向に横幅のあるフック、クリップ、バネピンなどを２列、並べて男性のベルトやパンツのバンドにかけることによっても達成できる。そしてフック、クリップ、バネピンなどの本数を増やし、水平方向の間隔を空けることにより、擬似パートナー具の垂直性の維持はより安定する。
【０１２４】
図７に、請求項１の擬似パートナー具１と男性身体具３０からなる社交ダンス練習器具の実施例を示す。男性２０は男性身体具３０を装着してリードする。男性身体具３０は、衣服のアンダーバスト付近の右腹付近上に取り付けられた、あてがい部材である腹パッチ、あるいはベルト２９と、男性身体具３０に備えられた男性側土台部２７、２１と、対応して備えられた男性側接合維持部材２８、２２とからなる。
【０１２５】
擬似パートナー具１の女性側土台部２３、２５に備えられた女性側接合維持部材２４、２６と、男性側接合維持部材２８、２２が協働して擬似パートナー具１の垂直性の維持をし、接合を維持する、
【０１２６】
図６の例では、男性身体具なしで、擬似パートナー具が、クローズドポジションとプロームナードポジションの間で、移動した。一方、図７の男性身体具がある時には、女性側接合維持部材２４と男性側接合維持部材２８とで剥がれやすい接合面をもち、女性側接合維持部材２６と男性側接合維持部材２２とで剥がれにくい接合面を持つ。
【０１２７】
ここで男性側接合維持部材２８、２２や女性側接合維持部材２４、２６が、協働して機能するのでより安定した垂直性の維持が可能となる。したがい、擬似パートナー具が、クローズドポジションとプロームナードポジションの間で、より安定して移動できる。男性側接合維持部材２８、２２や女性側接合維持部材２４、２６は共役なマジックテープ、粘着材、磁性材、歯ギア、蝶番、フック、鎖、紐等で構成できる。
【実施例２】
【０１２８】
図９は肩甲骨・上腕部１１の外側表面に、掌の凹みにいれる半楕円体状の突起３１、指の間に挟んだ棒３２、親指の側面にかぶさる庇板３３などの落下防止部材を設けた請求項１の擬似パートナー具の構造を示す。
また、図には省略されたが、肩甲骨・上腕部１１の外側表面には、後傾する通常の前記自然体形の女性３、が持つ背中中央、左肩甲骨から左上腕までの表面形状とは異なる、表面処理がされた凹凸表面を設けることもできる。肩甲骨・上腕部１１や背中部７は、基盤５の上に男性から見て離れる方向に斜め後ろに傾斜して立てられており、ダンスを踊る実際の自然体形の女性３、に近似しているので実際的な練習ができる。
【０１２９】
男性の右手首の上側側面を肩甲骨・上腕部１１に沿わせて、かかる落下防止部材や表面処理がされた凹凸表面を持つ肩甲骨・上腕部１１を保持すれば、男性の右手で肩甲骨・上腕部１１を仮想垂直身体軸の存する内側に押す力を０にしても、擬似パートナー具１を上方につるすので、落下することなくリードできる。同様に背中部に対しても落下防止部材、表面処理がされた凹凸表面を設ければ仮想垂直身体軸の存する内側に押す力を０にしても、擬似パートナー具をリードできる。    
【実施例３】
【０１３０】
図８は、請求項２の女性側接合維持部材と男性側接合維持部材が協働して機能する接合面移動構造を有する社交ダンス練習器具である。使用にあたり、最初に擬似パートナー具を、その仮想垂直身体軸の方向と男性垂直身体軸の方向を一致させて、男性身体具に接合させる。
【０１３１】
擬似パートナー具１の２領域の女性側接合維持部材２４、２６や、２領域の男性身体具３０の男性側接合維持部材２８、２２を、共役なマジックテープ、磁性材、粘着材を女性仮想垂直身体軸や男性垂直身体軸に平行な方向な線群からなる曲面柱の上に塗布することにより、接合面移動構造が得られ、男性が擬似パートナー具１を右手で並進運動、回転運動のリードできる。擬似パートナー具１はよほどの無理をしない限り男性垂直身体軸に垂直な同一平面内で並進運動、回転運動の運動軌跡を描くことができる。
【０１３２】
男性垂直身体軸に平行な方向の接合面を持つ共役なマジックテープ、磁性材、粘着材は、擬似パートナー具１を男性身体具３０にくっつけて剥離、落下させない強度を持ち、かつ、女性仮想垂直身体軸や男性垂直身体軸に平行な方向な線群からなる２領域以上の曲面柱に垂直な方向にずれることができる。実線の位置にある擬似パートナー具１を、点線の位置にリードし、また逆の動かし方をしながら、練習に供するすることができる。
【実施例４】
【０１３３】
図１０と図１１に、請求項２の擬似パートナー具１と男性身体具３０からなる女性側接合維持部材と男性側接合維持部材が協働して機能する接合面移動構造を有する社交ダンス練習器具の別の実施例を示す。
【０１３４】
図１０の中で、擬似パートナー具１の盤状胴体部５０を基盤５として、女性側土台部４３、４５の上には、おのおの女性側接合維持部材４４、４６を設ける。これらの女性側接合維持部材は対応して軸５４、５２を持っており、各上下の軸受けセット５３、５１の間で回転運動する構造である。ここで女性側接合維持部材４４、４６は表面に共役なマジックテープ、磁性材、粘着材などが付着された柱状の回転運動部材である。ここで７は背中部、１１は肩甲骨・上腕部である。
【０１３５】
図１１は、男性身体具３０を装着した男性２０が、図１０に示された擬似パートナー具１をリードする状況を示す。男性身体具３０は、腹パッチあるいはベルト２９の上に、擬似パートナー具１に設けられた女性側接合維持部材４４、４６と協働して擬似パートナー具１の垂直性を維持し、接合を維持する、男性側接合維持部材４８、４２を男性側土台部４７、４１上に備えている。
【０１３６】
男性が擬似パートナー具１を右手で、スイングダンスを踊る時は肩甲骨・上腕部１１に保持して、タンゴを踊る時は背中部７に保持して、リードする。回転運動部材である女性側接合維持部材４４、４６は起伏の大きい悪路上を自動車が走るように男性側接合維持部材４８、４２の上を動く。実線の擬似パートナー具１はクローズドポジション、点線の擬似パートナー具１はプロームナードポジションの位置を示す。
【実施例５】
【０１３７】
図１２は、請求項２の女性側接合維持部材と男性側接合維持部材が１領域で接合部材変位構造を持つ、フックを用いた実施例について構造と機能を示す図である。擬似パートナー具上の女性側土台部６３に女性側接合維持部材であるフック６４が擬似パートナー具の仮想垂直身体軸方向に備えられている。
【０１３８】
男性身体具上の突出部を有する男性側土台部６７に、男性側接合維持部材である男性の垂直身体軸に垂直な平面内にある、半径が一定でない部分リング６８が各フック６４に対応して、男性の垂直身体軸方向に備えられている。女性側接合維持部材６４と男性側接合維持部材６８による接合面は、対応する部分リングとフックの小さな接合面が男性の垂直身体軸方向に連続して作る、小さな接合面の連続である。擬似パートナー具を使用する時は、各フック６４は各部分リングに引っ掛けられ、使用しない時は男性身体具から離されている。
【０１３９】
擬似パートナー具の荷重が各フック６４を介して各部分リング６８に分散してかかり、フックが２個以上の場合にフックの開口部を適切に選べば、擬似パートナー具１は落下することはない。各フック６４と各部分リング６８間には、フックの数だけ接合面Ｅ、Ｆ、Ｇがある。
【０１４０】
男性が擬似パートナー具をリードする時、各小さな接合面Ｅ、Ｆ、Ｇは各部分リングに沿って変位し、結果的にフック６４が埋め込まれている女性側土台部６３は、男性の垂直身体軸に垂直な平面内で並進運動しながら回転運動することになる。  小さな接合面Ｅ、Ｆ、Ｇで、フックや部分リングを丸い線でなく板状にすればより安定した垂直性が得られる。
【０１４１】
また、フックと部分リングの組数を増やす、縦方向の距離を長くする、１本の部分リングに対するフック数を増やすなどすれば、さらに安定した垂直性が得られる。本実施例で、男性側土台部６７の突出部分は、フック６４の移動範囲を制限する機能も有し、結果的にこのような構造でも、擬似パートナー具を制限することができる。もちろん、男性側接合維持部材の一部の構造を、擬似パートナー具の移動範囲を制限する構造に、することは容易である。
【実施例６】
【０１４２】
図１３は、請求項２の女性側接合維持部材と男性側接合維持部材が１領域で接合部材変位構造を持つ、フックを用いた別の実施例について構造と機能を示す図である。擬似パートナー具上の突出部を持つ女性側土台部６５に、女性側接合維持部材である半径が一定でない部分リング６６が、擬似パートナー具の仮想垂直身体軸方向に備えられている。男性身体具上の男性側土台部６１に男性側接合維持部材である男性の垂直身体軸に垂直な平面内にあるフック６２が各部分リング６６に対応して、男性の垂直身体軸方向に備えられている。
【０１４３】
男性が擬似パートナー具をリードする時、小さな接合面Ｈ、Ｉ、Ｊは各部分リングに沿って変位し、結果的に部分リング６６が埋め込まれている女性側土台部６５は、男性の垂直身体軸に垂直な平面内で並進運動しながら回転運動することになる。
【０１４４】
本実施例で、女性側土台部６５の突出部分は、フック６２の移動範囲を制限する機能も有し、結果的にこのような構造でも、擬似パートナー具を制限することができる。もちろん、女性側接合維持部材の一部の構造を、擬似パートナー具の移動範囲を制限する構造に、することは容易である。
【実施例７】
【０１４５】
図１４、図１５、図２１に、請求項２で述べた、女性側接合維持部材と男性側接合維持部材が接合される場所が、男性の垂直身体軸方向に垂直な平面内で一体的に、変位する構造（接合部材変位構造）をもつ、男性身体具の別の実施例を示す。
【０１４６】
図１４、図１６において、男性の胴体に締める、ベルト６９には、男性垂直身体軸の方向と同じ方向のベルト片素の集合であり、屈曲性のある、ほとんどねじれないベルト片からなる男性側土台部７１、男性側土台部７７が設けられている。
男性側土台部７７は、接合部７０においてベルト６９に接合されており、男性垂直身体軸と垂直な平面内で曲げられる性質を持つ。７８は男性側接合維持部材であり、７２は接合面移動構造を持つ男性側接合維持部材である。
【０１４７】
かかる男性身体具に相対して、７８に接合される女性側接合維持部材、および
７２に接合される接合面移動構造を持つ女性側接合維持部材を有する擬似パートナー具を当接すれば、男性が男性垂直身体軸に垂直な平面内で、擬似パートナー具を回転運動や並進運動させてリードできる。このリードによる擬似パートナー具の移動状況を図１６に示す。
【実施例８】
【０１４８】
図１５、図１７において、ベルト６９には、男性垂直身体軸の方向と同じ方向の線分からなり、屈曲性のある、ほとんどねじれのないベルト片からなる男性側土台部７５、男性側土台部７３が設けられている。男性側土台部７５と男性側土台部７３は、接合部７０においてベルト６９に接合されており、男性垂直身体軸と垂直な平面内で曲げられる性質を持つ。７６、７４は男性側接合維持部材である。
【０１４９】
かかる男性身体具に相対して、７６、７４に接合される女性側接合維持部材を有する擬似パートナー具を当接すれば、男性が男性垂直身体軸に垂直な平面内で、擬似パートナー具を回転運動や並進運動させてリードできる。このリードによる擬似パートナー具の移動状況を図１７に示す。
【実施例９】
【０１５０】
図２１において、ベルト６９には、男性垂直身体軸の方向と同じ方向のベルト片素からなり、屈曲性のある、ほとんどねじれのないベルト片からなる男性側土台部８１、男性側土台部８３が設けられている。
【０１５１】
男性側土台部８３は接合部７０において、ベルト６９に接合されており、男性垂直身体軸と垂直な平面内で曲げられる性質を持つ。８４は男性垂直身体軸と垂直な平面を持ち、その上面には剥離は困難であるがずれやすい磁性材や粘着材等が塗布された接合部材変位構造を有する、男性側接合維持部材であり、８２は接合面移動構造を持つ男性側接合維持部材とする。
【０１５２】
男性側接合維持部材８４に重なる、擬似パートナー具の盤状胴体部５０の下部平坦面や、あるいは女性側土台部の下部平坦面に、剥離は困難であるがずれやすい磁性材や粘着材等が塗布された、接合部材変位構造を持つ女性側接合維持部材、および８２に接合される接合面移動構造を持つ女性側接合維持部材、を有する擬似パートナー具を当接する。男性が男性垂直身体軸に垂直な平面内で、擬似パートナー具を回転運動や並進運動させてリードできる。
【実施例１０】
【０１５３】
図１８は、請求項３の擬似パートナー具の実施例を説明する図である。図中、バランサー部は、バランス材８６と回転軸８７からなり、男性が右手を用いて背中部７でリードする時と、肩甲骨・上腕部でリードする時におのおの擬似パートナー具として最適なバランスになるように、バランス材を矢印Ｋのように回転、変位する。擬似パートナー具の一部構成部材８８あるいは、他の部材を付加、除去して擬似パートナー具として使用時に最適なバランスをとることも可能である。
【実施例１１】
【０１５４】
図２０は、請求項４の擬似パートナー具の実施例を説明する図である。擬似パートナー具の全体重量を軽くするために構成部材には、軽い変形しにくい材料と構造が要求される。擬似パートナー具１の基盤５は擬似パートナー具の部材の中でかなりの体積を占めるので、相応した重量を占める。そこで基盤５を、紙や発泡樹脂や薄い木板などからなる薄い複数枚の盤状胴体部５０を部分的に支柱で補強し、積層して中空構造にして形成し、擬似パートナー具の全体重量を軽くすることができる。
【０１５５】
また、図２０のように、一様に詰まった部材からなる盤状胴体部５０の一部構成部材を除去して、基盤５を中空構造９７にすることにより、擬似パートナー具の強度を維持したまま軽量化できる。
【０１５６】
擬似パートナー具１の基盤５に斜め後ろに立てた背中部７、肩甲骨・上腕部１１を運搬時、収納時には盤状胴体部５０から分離しないで背を低くし、女性腹部１２から突き出ている女性側土台部を基盤５内に押し込む折りたたみ構造にし、全体体積を小さく出来る。
【０１５７】
本発明請求項４の例では、背中部７や肩甲骨・上腕部１１を基盤５に蝶番９５で接続して、運搬時、収納時には折りたたみ全体体積を小さくする構造である。練習のために使用する時には、背中部７、肩甲骨・上腕部１１を支持する板部と基盤５を、マグネットキャチ、パッチン、ジュラコンキャチ９６などで強固に固定すれば、男性の右手と男性のアンダーバスト付近の腹からの力に対して、擬似パートナー具１は変形することはない。
【０１５８】
蝶番９５を用いた折りたたみ構造を持つ背中部７を、部分的な中空構造９７を持つ擬似パートナー具１内に折りたたむことにより、同じく蝶番９５を用いた折りたたみ構造を持つ肩甲骨・上腕部１１を、背中部７の上に、折りたたんだ時、両者の折りたたみの競合を少なくできるという効果も生まれる。
【０１５９】
また、背中部７や肩甲骨・上腕部１１を部材９５や９６で、別の盤状胴体部上につなぎ、別の盤状胴体部ごと盤状胴体部５０の上面で、仮想垂直身体軸の方向に回転運動できるようにしておけば、中空構造９７がなくても背中部７と肩甲骨・上腕部１１を重ならないように同じ方向に折りたためるので、両者の折りたたみに競合が起こることはない。
【実施例１２】
【０１６０】
図１９は、請求項５の擬似パートナー具の実施例を説明する図である。
擬似パートナー具１は、女性腹部１２側にある盤状胴体部基本部９１と、背中部７、肩甲骨・上腕部１１のうち少なくとも１つの部が存する盤状胴体部伸張部９２からなる。
【０１６１】
盤状胴体部基本部９１に対し、盤状胴体部伸張部９２を移動して、相対的な位置を調節するために、盤状胴体部基本部９１にはボルト９４を、盤状胴体部伸張部９２にはボルトの径より十分幅の広い溝穴９３を設け、矢印Ｌ、Ｍの方向に盤状胴体部伸張部９２を独立に動かせる構造である。図ではナットは示していない。
【０１６２】
本発明の実施例図では、自然体形の女性の身体の器官に近似する部位を、基盤に備えるにあたり、基盤の上方にアンダーバスト付近より上方の部位を備える例を記載したが、本発明において、基盤の下方にアンダーバスト付近より下方の部位を備えた構造にできることは勿論である。そのような構造の本発明の社交ダンス練習器具を用いれば、アルゼンチンタンゴのように、女性の腰、右脇、左脇などを右手で保持し踊るダンスも、練習ができる。
【０１６３】
本発明では、自然体形の女性の身体の器官に近似する部位を備える基盤を、アンダーバスト付近位置としたが、本発明の社交ダンス練習器具を、基盤が存する位置を自然体形の女性の身体の骨盤などに低く設定した構造にし、骨盤から上の女性の身体に近似する運動をする、機能を持たせることはもちろんである。
【０１６４】
本発明の構造と作用は、男性身体具に備えるボディリード構造と、擬似パートナー具に備えるボディフォロー構造の協働作用により、擬似パートナー具の移動経路を設定し、前記擬似パートナー具の移動範囲を制限し、回転運動と同時におこる並進運動を経て、クローズドポジションとプロームナードポジションを位置内でリードでき、またスウエイをリードできることである。
【０１６５】
本発明では、自然体形の女性の身体の器官に近似する部位を、右手で保持する少なくとも背中部あるいは肩甲骨・上腕部の一方としたが、左手で女性の右手のてのひらを保持しリードできる、構造にできることはもちろんである。
【符号の説明】
【０１６６】
１    擬似パートナー具
２    右腕
３    自然体形の女性
４    アンダーバストＤの高さの胴体
５０  盤状胴体部
５    基盤
６    背中中央
７    背中部
８    左肩甲骨
９    左腋
１０  左上腕
１１  肩甲骨・上腕部
１２  女性腹部
１３、１５  女性側土台部
１４、１６  女性側接合維持部材
２０  男性
３０  男性身体具
２９  腹パッチ、あるいはベルト
２１、２７  男性側土台部
２２、２８  男性側接合維持部材
２３、２５  女性側土台部
２４、２６  女性側接合維持部材
３１  突起
３２  棒
３３  庇板
４３、４５  女性側土台部
４４、４６  女性側接合維持部材
５２、５４    軸
５１，５３    軸受け
４２，４８  男性側接合維持部材
４１、４７  男性側土台部
６３、６５  女性側土台部
６４  フック
６１、６７  男性側土台部
６８  部分リング
６６  部分リング
６２  フック
６９  ベルト
７１、７７  男性側土台部
７０  接合部
７２、７８  男性側接合維持部材
７３、７５  男性側土台部
７４、７６  男性側接合維持部材
８１、８３  男性側土台部
８２、８４  男性側接合維持部材
８６  バランス材
８７  回転軸
８８  一部構成部材
９６  マグネットキャチ、パッチン、ジュラコンキャチ
９５  蝶番
９７  中空構造
９１  盤状胴体部基本部
９２  盤状胴体部伸張部
９３  溝穴
９４  ボルト
【図１】
2009233319.tif 000003
【図２】
2009233319.tif 000004
【図３】
2009233319.tif 000005
【図４】
2009233319.tif 000006
【図５】
2009233319.tif 000007
【図６】
2009233319.tif 000008
【図７】
2009233319.tif 000009
【図８】
2009233319.tif 000010
【図９】
2009233319.tif 000011
【図１０】
2009233319.tif 000012
【図１１】
2009233319.tif 000013
【図１２】
2009233319.tif 000014
【図１３】
2009233319.tif 000015
【図１４】
2009233319.tif 000016
【図１５】
2009233319.tif 000017
【図１６】
2009233319.tif 000018
【図１７】
2009233319.tif 000019
【図１８】
2009233319.tif 000020
【図１９】
2009233319.tif 000021
【図２０】
2009233319.tif 000022
【図２１】
2009233319.tif 000023